(57)【要約】【課題】  仮設型手動雪下ろし機を提供する。【解決手段】手動ハンドルでギヤを回転させて、チェーンとギヤの駆動力により、住宅の屋根に設置した除雪シートが、屋根の傾斜面に沿って下がり、その上の積雪をスベリ落とす仮設型手動雪下ろし機であり、上説の仮設型手動雪下ろし機を、建設、建築用仮設足場枠組に、設置できることを特長とした仮設型手動雪下ろし機である。【選択図】図１
2008050925.tif 000002
【特許請求の範囲】
【請求項１】
手動ハンドルでギヤを回転させて、チェーンとギヤの駆動力により、住宅の屋根に設置した除雪シートが屋根の傾斜面に沿って下がり、その上の積雪をスベリ落とす仮設型手動雪下ろし機。
【請求項２】
上説の仮設型手動雪下ろし機を、建設、建築用仮設足場枠組に設置できる、請求項１記載の仮設型手動雪下ろし機。
【発明の詳細な説明】
【技術分野】
【０００１】本発明は、仮設型手動雪下ろし機に関するものである。
【背景技術】
【０００２】従来、豪雪地域に於ける住宅の雪下ろし作業は、作業する人が住宅の屋根に上り、スコップ等の道具を使用して作業していた。
【発明の開示】
【発明が解決しようとする課題】
【０００３】そのために、次のような問題があった。
（イ）豪雪地域では雪の重みで住宅の圧壊を防ぐ為、毎日の様に作業しなくてはならず、従来の雪下ろし作業は、作業する人が住宅の屋根に上り、スコップ等の道具を使用して作業していた。
（ロ）過疎地では人手が足りず、高齢の人々も自宅を守る為、屋根に上がって雪下ろしをする状況も見られ、大変な労力と潜在的な危険が伴い、毎年屋根から落下して怪我をされたり、死亡してしまう人が報告されている。
本発明は以上の問題点を解決しようとするものである。
【課題を解決するための手段】
【０００４】手動ハンドルでギヤを回転させて、チェーンとギヤの駆動力により、住宅の屋根に設置した除雪シートが屋根の傾斜面に沿って下がり、その上の積雪をスベリ落とす仮設型手動雪下ろし機である。
そのために上説の仮設型手動雪下ろし機を、建設、建築用仮設足場枠組に、設置できるようにした。
以上を特徴とする仮設型手動雪下ろし機である。
【発明の効果】
【０００５】したがって、本発明は、住宅に設置してしまえば、屋根に上がらずに雪下ろしが出来るので、少人数でも作業が出来、雪下ろし作業の危険性が無くなり、労力も軽減できる。
また、本発明は建設、建築用仮設足場枠組を利用するもので、初冬の頃合に設置し、春になったら解体して冬に備えるという使用サイクルになるので、実際の現場ではこれらを応用、運用した多様な作業が期待できる。
【発明を実施するための最良の形態】
【０００６】以下、本発明の実施の形態について説明する。
（イ）上下対称の長方形状のギヤケース（１）には、主軸（２）が上下移動する為の長穴（２４）が設けて有り、両端部に固定式の駆動軸（３）と、取り付け位置変更可能式の従動軸（４）を設けている。
（ロ）この３本の主軸（２）、駆動軸（３）、従動軸（４）、には同じ歯数のギヤが組み付けられる、主軸（２）には主軸軸受け（５）と主軸ギヤ（６）を設け、駆動軸（３）には駆動ギヤＡ（７）を設け、従動軸（４）には従動ギヤ（８）を設け、この３枚の主軸ギヤ（６）、駆動ギヤＡ（７）、従動ギヤ（８）、はチェーンＡ（９）で継がれて駆動力を伝える。
（ハ）駆動軸（３）の、駆動ギヤＡ（７）には歯数変更の為取り外し可能で、常時噛み合い型の駆動ギヤＢ（１０）を設けている。
（ニ）ギヤケース（１）には、取り付け位置変更可能なチェーンテンショナ（１１）と、ギヤカバー（１２）を設けている。
（ホ）ギヤ操作板（１３）には、大ギヤ軸（１４）と大ギヤ軸受け（１５）が共に設けられ、大ギヤ軸（１４）には歯数変更の為、取り外し可能な大ギヤ（１６）と、取り外し可能な操作ハンドル（１７）が共に設けられ、この大ギヤ（１６）はチェーンＢ（１８）で、駆動ギヤＢ（１０）と継がれて駆動力を伝える。また、安全装置（１９）もこのギヤ操作板（１３）に設けられる。
（ヘ）主軸（２）には、屋根を覆う除雪シート（２０）を設け、除雪シート（２０）の上下方向両端部に、表裏両面を固定プレート（２１）２枚で挟み込むように固定する。
この固定プレート（２１）の両端部には丸穴（２６）を設けて、これにサブチェーン（２２）を両端部に取り付けて、反対側のフック（２６）を大ギヤ軸（１４）両端の取り付け部に取り付ける。
（ト）ギヤケース（１）の両端部と、ギヤ操作板（１３）には、建設用仮設足場枠組で使用するパイプを加工した枠組固定パイプ（２３）が設けられ、これを使用する事で建設用仮設足場枠組と同様の固定法で、本発明が組み付けられて使用できる。
（チ）上説の枠組固定パイプ（２３）の加工は、建設用仮設足場枠組で一般に使用されているパイプを任意の寸法にカットして、片方端の円筒部を上向きにして、その円筒部の縁にギヤケース（１）等と、同じ寸法の切り込み部（２７）を設けたものである。
本発明は以上の構造で、これを使用するには、住宅に建設用仮設足場枠組を設置して、これらの構造を利用し、屋根の傾斜面に合わせて本発明を組み付ける。
次にギヤ操作板（１３）の大ギヤ（１６）を固定している安全装置（１９）を取り外す。
操作ハンドル（１７）を手動で回転させると、大ギヤ（１６）も回転して、チェーンＢ（１８）により駆動力が駆動ギヤＢ（１０）に伝わって回転すると、同軸上の駆動ギヤＡ（７）も同時に回転して、チェーンＡ（９）が動き、その駆動力が主軸ギヤ（６）を動かし、主軸（２）が移動する。
主軸（２）に設けられた、除雪シート（２０）の上下方向両端部に取り付けた、固定プレート（２１）の両端は、サブチェーン（２２）によって大ギヤ軸（１４）の両端部に継がれており、大ギヤ（１６）が回転する事により、屋根上の除雪シート（２０）が傾斜面下方向に移動して、その上に積もった積雪を滑り落とす事ができる。
つまり、作業者としては、安全装置（１９）を取り外して、操作ハンドル（１７）を一方向に回転させて雪を下ろし、回転が停止したら、今度は逆回転に回して除雪シート（２０）を巻き上げ、再び停止したところで、大ギヤ（１６）を安全装置（１９）で固定する、だけの作業になる。
また、本発明は各部の取り付け位置が変更可能で位置調整が出来、主要構成部品の仕様、寸法違いの物を数種類用意して、これらをそれぞれ組み合わせて使用する構想で、多種多様な形状の住宅、様々な状況に対応することが可能である。
それについて以下、詳説すると、
【実施例２】本発明を、使用する住宅の長さに合わせるため、主軸（２）、大ギヤ軸（１４）、除雪シート（２０）、固定プレート（２１）を、適切な長さの物に変更して取り付けた。
【実施例３】本発明を、使用する住宅の屋根の勾配に合わせるため、ギヤケース（１）、チェーンＡ（９）、ギヤカバー（１２）を適切な長さの物に変更して取り付け、チェーンＡ（９）をチェーンテンショナ（１１）で長さ調整した。
【実施例４】積雪が増えてきて、操作ハンドル（１７）の回転が重くなって来たので、大ギヤ（１６）を取り外し歯数の大きい物に交換して、回転させる力が軽くなり、作業が楽になった。
【図面の簡単な説明】
【０００７】
【図１】本発明の側面図
【図２】本発明の分解斜視図
【図３】本発明の上面図
【図４】本発明の使用説明図
【符号の説明】
【０００８】    １    ギヤケース
２    主軸
３    駆動軸
４    従動軸
５    主軸軸受け
６    主軸ギヤ
７    駆動ギヤＡ
８    従動ギヤ
９    チェーンＡ
１０  駆動ギヤＢ
１１  チェーンテンショナ
１２  ギヤカバー
１３  ギヤ操作板
１４  大ギヤ軸
１５  大ギヤ軸受け
１６  大ギヤ
１７  操作ハンドル
１８  チェーンＢ
１９  安全装置
２０  除雪シート
２１  固定プレート
２２  サブチェーン
２３  枠組固定パイプ
２４  長穴
２５  丸穴
２６  フック
２７  切り込み部
【図１】
2008050925.tif 000003
【図２】
2008050925.tif 000004
【図３】
2008050925.tif 000005
【図４】
2008050925.tif 000006